(57)【特許請求の範囲】
【請求項１】
回転動作に応じた各々の表示態様が組み合わされて現在の日時を示す複数の回転表示体と、
前記複数の回転表示体のうちの第１の回転表示体が一回転する毎に、当該第１の回転表示体の回転に連動させて前記複数の回転表示体のうちの第２の回転表示体を所定の角度回転させる複数の歯車が配列された輪列機構と、
前記輪列機構の回転動作を駆動制御する駆動制御手段と、
前記第１の回転表示体が所定の基準表示態様にあるか否かを検出する検出手段と、
前記第１の回転表示体の表示態様の周回遅れ量を示す遅延周期数を計数する遅延周期計数手段と
を備え、
前記遅延周期計数手段は、前記所定の基準表示態様の検出周期毎に、当該所定の基準表示態様にあることが検出される予定の第１タイミング、及び、当該第１タイミングと異なる第２タイミングにおける前記検出手段による検出結果に基づいて前記第１の回転表示体の回転周期に亘り、当該第１の回転表示体が停止状態にあったと判別された場合には、前記遅延周期数に１を加算し、
前記駆動制御手段は、前記第２タイミングにおいて前記検出手段により前記所定の基準表示態様が検出された後、前記第１タイミング又は前記第２タイミングにおいて前記所定の基準表示態様が検出されなかった場合に、前記第１の回転表示体が動作停止状態から動作可能な状態に戻ったと判断し、前記第１タイミングに前記第１の回転表示体が動作可能である場合には、前記遅延周期数の回数だけ前記第１の回転表示体を回転移動させる
ことを特徴とするアナログ電子時計。
【請求項２】
前記検出周期と前記第１の回転表示体の回転周期とは、互いに等しい長さに設定され、
前記遅延周期計数手段は、前記第１タイミング、前記第２タイミング、及び、次の前記検出周期の前記第１タイミングにおいて続けて前記所定の基準表示態様が検出された場合に、前記遅延周期数に１を加算する
ことを特徴とする請求項１記載のアナログ電子時計。
【請求項３】
前記輪列機構は、前記第１の回転表示体の回転に対し、所定の周期で前記第２の回転表示体を所定の期間にのみ連動して回転させるように前記複数の歯車が配列されていることを特徴とする請求項１又は２記載のアナログ電子時計。
【請求項４】
前記第２の回転表示体は、一の面に日付を示す標識が日付順に設けられた形状を有し、前記所定の期間における前記第２の回転表示体の回転により、表示される日付が一日変化する
ことを特徴とする請求項３記載のアナログ電子時計。
【請求項５】
前記第１の回転表示体は時針であり、
前記輪列機構は、前記第１の回転表示体が２回転するごとに前記第２の回転表示体を前記所定の期間回転させる構成である
ことを特徴とする請求項４記載のアナログ電子時計。
【請求項６】
前記第２の回転表示体の上部には、文字盤を備え、
当該文字盤上には、窓部が設けられ、前記第２の回転表示体の一面に設けられた前記標識のうちの一つが前記第２の回転表示体の回転に応じて選択的に露出可能となっている
ことを特徴とする請求項５記載のアナログ電子時計。
【請求項７】
前記検出手段は、前記複数の歯車のうち、所定の歯車に設けられた被検出部を前記所定の基準表示態様に対応する位置で検出する構成であることを特徴とする請求項１〜６の何れか一項に記載のアナログ電子時計。
【請求項８】
前記第１タイミングにおいて前記所定の基準表示態様が検出されない場合には、前記駆動制御手段に前記第１の回転表示体を１ステップ回転移動させるごとに前記検出手段に検出動作を行わせていくことで前記所定の基準表示態様を検出して当該第１の回転表示体の回転位置を同定し、前記第１の回転表示体の回転位置を修正する位置修正手段を備える
ことを特徴とする請求項１〜７の何れか一項に記載のアナログ電子時計。
【請求項９】
前記位置修正手段は、前記第１タイミングにおいて前記第１の回転表示体を一周期分移動させたにもかかわらず前記所定の基準表示態様を検出出来ない場合には、前記第１の回転表示体が動作停止状態であると判断することを特徴とする請求項８記載のアナログ電子時計。
【請求項１０】
前記位置修正手段は、前記第１タイミングにおいて前記第１の回転表示体が動作停止状態であると判断した場合には、当該第１の回転表示体の回転位置が同定されるまでの間、前記第１タイミングから前記第２タイミングまでの間隔よりも短い間隔で動作することを特徴とする請求項９記載のアナログ電子時計。
【請求項１１】
前記検出周期と前記第１の回転表示体の回転周期とは、互いに等しい長さに設定され、
前記遅延周期計数手段は、前記検出周期に亘り、続けて前記所定の基準表示態様が検出されない場合には、前記遅延周期数に１を加算する
ことを特徴とする請求項１０記載のアナログ電子時計。
【請求項１２】
外部操作を受け付けて入力信号に変換する操作手段を備え、
前記駆動制御手段は、当該入力信号に基づいて前記第１の回転表示体及び前記第２の回転表示体を所定のステップ数ずつ回転させる
ことを特徴とする請求項１〜１１の何れか一項に記載のアナログ電子時計。
【発明の詳細な説明】
【技術分野】
【０００１】
この発明は、時刻と日付を同時に表示可能なアナログ電子時計に関する。
【背景技術】
【０００２】
従来、時刻と共に日付を表示させることが可能なアナログ電子時計がある。このような電子時計は、通常、文字盤の下に回転可能に設けられた文字盤である日車を備え、この日車の周縁部に設けられた日付を表す標識のうちの何れかを文字盤に設けられた透過小窓から選択的に露出させることで一の日付を表示させる。
【０００３】
アナログ電子時計では、外部磁場の影響や強い衝撃等で生じる加速度などの外的な要因により、指針を回転させるモータが正常に動作せずに、時計内部のメモリに記憶された指針位置と実際の指針位置とがずれる場合や、電源がリセットされて記憶されていた指針位置の情報が失われる場合がある。そこで、以前より、各指針の位置が適切であることを定期的に確認し、適切な位置からずれている場合には修正を行う機能を有するアナログ電子時計が開発されている。特許文献１、２には、秒針及び分針の位置を確実且つ速やかに検出するための技術が開示されている。
【０００４】
一方、日車に対しては、回転動作に必要なトルクが大きく位置ずれが生じにくい、一ステップあたりの回転角度が小さいので微細なずれが目視で認識され難い、文字標識などであって多少の位置ずれがあっても表示情報に問題が生じない、といった理由で、このような指針位置の検出に係る構成を備えずに、電力消費を抑えたりサイズの増加を抑えたりするアナログ電子時計がある。
【先行技術文献】
【特許文献】
【０００５】
【特許文献１】特開２０１１−１２２９０２号公報
【特許文献２】特開２０１１−２２０８７２号公報
【発明の概要】
【発明が解決しようとする課題】
【０００６】
しかしながら、従来の指針位置の検出に係る構成では、指針の位置確認が行われる位置でこの指針が止まったままの状況でも、指針が正常位置にあると判断されてしまう。従って、位置検出機構を備えた指針に対し、位置検出機構を備えない指針が連動して回転する構成のアナログ電子時計では、指針の動作が停止していることに気づかないまま長時間が経過して、位置検出機構を備えない指針の正しい位置が分からなくなる場合があるという課題があった。
【０００７】
この発明の目的は、連動して回転する指針が長時間に亘り正常に動作しなかった場合でも、動作再開後に容易に正しい位置へ戻すことが可能なアナログ電子時計を提供することにある。
【課題を解決するための手段】
【０００８】
本発明は、上記目的を達成するため、
回転動作に応じた各々の表示態様が組み合わされて現在の日時を示す複数の回転表示体と、
前記複数の回転表示体のうちの第１の回転表示体が一回転する毎に、当該第１の回転表示体の回転に連動させて前記複数の回転表示体のうちの第２の回転表示体を所定の角度回転させる複数の歯車が配列された輪列機構と、
前記輪列機構の回転動作を駆動制御する駆動制御手段と、
前記第１の回転表示体が所定の基準表示態様にあるか否かを検出する検出手段と、
前記第１の回転表示体の表示態様の周回遅れ量を示す遅延周期数を計数する遅延周期計数手段と
を備え、
前記遅延周期計数手段は、前記所定の基準表示態様の検出周期毎に、当該所定の基準表示態様にあることが検出される予定の第１タイミング、及び、当該第１タイミングと異なる第２タイミングにおける前記検出手段による検出結果に基づいて前記第１の回転表示体の回転周期に亘り、当該第１の回転表示体が停止状態にあったと判別された場合には、前記遅延周期数に１を加算し、
前記駆動制御手段は、前記第２タイミングにおいて前記検出手段により前記所定の基準表示態様が検出された後、前記第１タイミング又は前記第２タイミングにおいて前記所定の基準表示態様が検出されなかった場合に、前記第１の回転表示体が動作停止状態から動作可能な状態に戻ったと判断し、前記第１タイミングに前記第１の回転表示体が動作可能である場合には、前記遅延周期数の回数だけ前記第１の回転表示体を回転移動させる
ことを特徴とするアナログ電子時計である。
【発明の効果】
【０００９】
本発明に従うと、アナログ電子時計において、連動して回転する指針が長時間に亘り正常に動作しなかった場合でも、動作再開後に容易に正しい位置へ戻すことが可能になるという効果がある。
【図面の簡単な説明】
【００１０】
【図１】本発明の実施形態のアナログ電子時計の内部構成を示すブロック図である。
【図２】各指針を動作させる輪列機構の構造を示す平面図である。
【図３】指針位置検出処理の制御手順を示すフローチャートである。
【図４】指針位置検出処理で呼び出される分秒針検出処理の制御手順を示すフローチャートである。
【図５】指針位置検出処理で呼び出される時針補正処理の制御手順を示すフローチャートである。
【図６】時針補正処理で呼び出される時針位置設定処理の制御手順を示すフローチャートである。
【発明を実施するための形態】
【００１１】
以下、本発明の実施の形態を図面に基づいて説明する。
図１は、本発明の実施形態のアナログ電子時計の内部構成を示すブロック図である。
【００１２】
本実施形態のアナログ電子時計１は、日車２（第２の回転表示体）と、時針３（第１の回転表示体）と、分針４と、秒針５と（以降、日車２〜秒針５をまとめて指針２〜５（回転表示体）とも記す）、複数の歯車が配列された輪列機構２２を介して日車２を回転動作させると共に、輪列機構２３を介して時針３を回転動作させる第１ステッピングモータ３２と、輪列機構２４を介して分針４を回転動作させると共に、輪列機構２５を介して秒針５を回転動作させる第２ステッピングモータ３４と、第１ステッピングモータ３２及び第２ステッピングモータ３４に駆動パルスを出力する駆動回路３９と、ＣＰＵ（Central Processing Unit）４１（駆動制御手段、遅延周期計数手段、位置修正手段）と、ＲＯＭ（Read Only Memory）４２と、ＲＡＭ（Random Access Memory）４３と、発振回路４４と、分周回路４５と、計時回路４６と、電源部４７と、アンテナ４８を用いて受信した電波から信号を復調する検波回路４９と、操作部５０（操作手段）と、第１検出部５２（検出手段）と、第２検出部５４と、などを備えている。
【００１３】
時針３、分針４、及び、秒針５は、何れも通常の針形状を有する指針であり、文字盤上で同一の回転軸に対して回転可能に配置されて、一の方向を指し示す。これら時針３、分針４、及び、秒針５は、指し示す方向が容易に読み取り可能な範囲で任意の太さや装飾形状とすることができる。一方、日車２は、円環状（ディスク形）の指針であり、文字盤の下部で上記回転軸の周りを回転可能に配置されている。日車２の上面には、その周縁部に日付「１」〜「３１」をそれぞれ表す日付標識が順番に設けられており、日車２を回転させることで、文字盤に設けられた透過小窓（窓部）から何れか１個の日付標識が選択的に露出される。この透過小窓は、ガラスやアクリル樹脂などの透明部材で覆われていても良い。
【００１４】
本実施形態のアナログ電子時計１では、第１ステッピングモータ３２は、駆動回路３９から１分に１回入力される駆動パルスにより駆動されてロータが１８０度回転動作し、時針３を回転させると共に、一日のうち所定の期間、例えば、２２時３０分から１時までの１５０分間にのみ時針３の回転に連動して日車２を回転させて、日付標識を一日分進める。第２ステッピングモータ３４は、駆動回路３９から毎秒入力される駆動パルスにより駆動されてロータが１８０度回転動作し、秒針５及び分針４をそれぞれ所定の角度ずつ連動して回転させる。また、第１検出部５２は、時針３が所定の位置にある状態を検出する。第２検出部５４は、時針３、分針４、及び、秒針５が全て所定の位置にある状態を検出する。輪列機構２２〜２５の構造及び第１検出部５２、第２検出部５４による指針２〜５の位置検出に係る動作については、後に詳述する。
【００１５】
ＣＰＵ４１は、アナログ電子時計１における各種演算処理を行うと共に全体動作の統括制御を行う。ＲＯＭ４２は、ＣＰＵ４１が実行するアナログ電子時計１の制御プログラムや、種々の機能に係る動作プログラムを記憶する。ＲＡＭ４３は、ＣＰＵ４１に作業用のメモリ空間を提供し、ＲＯＭ４２から読み出されて展開されたプログラムや一時データなどを記憶する揮発性メモリである。また、ＲＡＭ４３には、指針の回転動作に係る各種フラグ、例えば、補正失敗フラグ４３ａ、前回エラーフラグ４３ｂ、及び、動作停止フラグ４３ｃ（遅延周期数）が記憶される。
ここで、本実施形態のアナログ電子時計１では、前回エラーフラグ４３ｂは、セット状態で「１」、リセット状態（セットされていない状態）で「０」の二値データである。一方、補正失敗フラグ４３ａ及び動作停止フラグ４３ｃは、セット状態で「１」以上の整数に設定され、リセット状態で「０」に設定される多値データとすることができる。セット状態における最大値は、ＲＡＭ４３のメモリ容量等に合わせて適宜設定される。
【００１６】
発振回路４４は、所定の周波数信号を発振して出力する。分周回路４５は、発振回路４４から入力された周波数信号を分周し、アナログ電子時計１で用いられる各周波数の信号を生成して出力する。計時回路４６は、分周回路４５から出力された所定の周波数（例えば、１Ｈｚ）の信号の入力回数を計数し、時刻データに加算していくことで現在時刻を保持する。
【００１７】
電源部４７は、ＣＰＵ４１を介してアナログ電子時計１の各部に電力を供給する。この電源部４７は、特には制限されないが、例えば、太陽電池と二次電池とを組み合わせて長期間継続的に電力供給を可能としたものである。
【００１８】
アンテナ４８及び検波回路４９は、長波帯の電波により時刻情報を符号化送信している標準電波を受信して、符号化された信号（タイムコード）を復調する回路である。復調されたタイムコードは、ＣＰＵ４１により復号、解読されることで、時刻データが取得される。また、この時刻データがＣＰＵ４１から計時回路４６に送られて上書きされることで、現在時刻データが上書き修正される。
【００１９】
操作部５０は、外部操作スイッチ、例えば、押しボタンやりゅうずなどを含み、ユーザによる押下や回転などの操作を受け付けて電気信号に変換してＣＰＵ４１に出力する。この操作部５０とＣＰＵ４１では、日付合わせのモード設定を行ってから時針３及び日車２の早送り動作を行わせると、１２時間分、即ち、時針３の一回転分（７２０ステップ、所定のステップ数）ずつまとめて早送りさせることが可能となっている。
【００２０】
次に、輪列機構２２〜２５の構造及び指針２〜５の位置検出について説明する。
図２は、本実施形態のアナログ電子時計１の輪列機構２２〜２５の構造を示した平面図である。なお、各図において、指針２〜５に共通の回転軸Ｒの位置を縦方向にずらして表示している。
【００２１】
図２（ａ）に示すように、第２ステッピングモータ３４のロータ３４ａの回転は、輪列機構２５を構成する五番車２５１及び秒針車２５２（四番車）を介して秒針５に伝わり、秒針５は、秒針車２５２と共に各秒の先頭のタイミングで６度ずつ回転する。そして、秒針５は、６０秒で３６０度回転することになる。秒針車２５２には、一個の透過孔Ｔ５２が設けられている。
【００２２】
一方、五番車２５１及び秒針車２５２の回転動作は、輪列機構２４にも伝えられる。図２（ｂ）において、分針車２４３（二番車）と同一の回転軸Ｒとなるように配置されている図示略の秒針車２５２（図２（ａ）参照）は、三番車２４２を介し、分針車２４３（二番車）を連動して回転させる。分針４は、この分針車２４３と共に毎秒０．１度ずつ回転し、３６００秒、即ち、６０分で一回転する。三番車２４２には、一個の透過孔Ｔ４２が設けられ、また、分針車２４３には、一個の透過孔Ｔ４３が設けられている。
【００２３】
次に、図２（ｃ）に示すように、第１ステッピングモータ３２のロータ３２ａの回転は、輪列機構２３を構成する中間車２３１、２３２、２３３を介して時針車２３４（筒車）に伝わる。時針車２３４は、秒針車２５２及び分針車２４３と同一の回転軸Ｒに対して回転するように配置されており、時針３は、時針車２３４と共に毎分０秒のタイミングで０．５度ずつ回転する。そして、時針３は、７２０分（１２時間、回転周期）で文字盤上を一回転する。また、輪列機構２３では、中間車２３３と噛合して検出車２３５が回転する構成となっている。検出車２３５は、時針車２３４と同様に、毎分０秒のタイミングで０．５度ずつ回転する。
中間車２３１、２３２、及び、検出車２３５には、それぞれ、透過孔Ｔ３１、Ｔ３２、Ｔ３５が設けられている。また、時針車２３４には、３０度間隔で１２個の透過孔Ｔ３４が設けられている。
【００２４】
また、図２（ｄ）に示すように、中間車２３３の回転は、時針車２３４だけではなく、輪列機構２２を構成する中間車２２４に伝えられる。中間車２２４の回転は、更に、中間車２２５、日回し中間車２２６、及び、日回し車２２７を介して日車２に伝達される。日回し中間車２２６は、毎分０秒のタイミングで０．２５度ずつ回転し、２４時間（所定の周期）で一周する。この日回し中間車２２６には、日回し車２２７の歯と所定の角度範囲（角度幅は３７．５度）でのみ噛み合う歯が別個に設けられていて、日回し中間車２２６が当該角度範囲にある時刻帯（２２時３０分〜１時００分、所定の期間）において、日回し中間車２２６の回転動作に連動して日回し車２２７が回転される。この日回し車２２７は、日車２の内歯車と噛み合わされており、日回し車２２７が回転することで日車２が１１．２５度（所定の角度）回転して、日車２の表側に設けられた日付標識が一日分移動する。
【００２５】
次に、指針２〜５の位置検出動作について説明する。
【００２６】
図２（ｃ）、（ｄ）に示すように、位置Ｄ１には、第１検出部５２が設けられている。第１検出部５２は、発光部５２１と、光センサ５２２とを備える。位置Ｄ１は、中間車２３１、２３２、及び、検出車２３５が重なる位置である。そして、本実施形態のアナログ電子時計１では、１１時５５分台及び２３時５５分台（第１タイミング）にそれぞれ１分間、中間車２３１の透過孔Ｔ３１、中間車２３２の透過孔Ｔ３２、及び、検出車２３５の透過孔Ｔ３５が全て位置Ｄ１で重なるように配置されている。
位置Ｄ１において、輪列機構２３の各歯車の回転面上方から発光部５２１により下向きに出射された光は、中間車２３１、２３２、及び、検出車２３５（所定の歯車）の透過孔Ｔ３１、Ｔ３２、Ｔ３５（被検出部）が全て位置Ｄ１で重なっている場合にのみこれらの透過孔を通過して、回転面下方に設けられた光センサ５２２により検出される。即ち、本実施形態のアナログ電子時計１では、１２時間（検出周期）に一回、時針３が正しい位置（所定の基準表示態様）にあるか否かの検出が可能となっている。
【００２７】
また、図２（ａ）、（ｂ）、（ｃ）に示すように、位置Ｄ２には、第２検出部５４が設けられている。第２検出部５４は、発光部５４１と、光センサ５４２とを備える。位置Ｄ２は、秒針車２５２、分針車２４３、及び、時針車２３４の回転軸Ｒと、三番車２４２の回転軸とを結ぶ線分上にあり、透過孔Ｔ５２、Ｔ４２、Ｔ４３、Ｔ３４が重なる位置である。即ち、透過孔Ｔ５２、Ｔ４３、Ｔ３４は、全て同一の回転半径となる円周上に配置されている。ここでは、透過孔Ｔ５２、Ｔ４２、Ｔ４３、Ｔ３４が毎時５５分０秒において位置Ｄ２で重なるように配置されている。本実施形態のアナログ電子時計１では、位置Ｄ２において、秒針車２５２、分針車２４３、及び、時針車２３４の上方から発光部５４１により下向きに出射された光が透過孔を通過して、下方に設けられた光センサ５４２により検出されるか否かにより、一時間間隔で透過孔Ｔ５２、Ｔ４２、Ｔ４３、Ｔ３４が全て位置Ｄ２で重なっているか否かを判別可能に構成されている。
【００２８】
ここで、本実施形態のアナログ電子時計１において、透過孔Ｔ５２、Ｔ４２、Ｔ４３、Ｔ３１、Ｔ３２、Ｔ３４、Ｔ３５の大きさは、何れも等しい。また、これらの透過孔Ｔ５２、Ｔ４２、Ｔ４３、Ｔ３１、Ｔ３２、Ｔ３４、Ｔ３５の回転方向への角度幅は、６度以下である。
【００２９】
本実施形態のアナログ電子時計１では、秒針５と連動して回転する分針４は、毎秒０．１度ずつ回転する。従って、秒針５が一周することで透過孔Ｔ５２が同一位置（位置Ｄ２）に戻ってきたときには、分針４は、６０ステップ６度回転していることになり、透過孔Ｔ４３は、既に位置Ｄ２から外れていることになる。三番車２４２及び透過孔Ｔ４２の回転周期は、透過孔Ｔ４３が６０分周期で位置Ｄ２に戻る際に同時に位置Ｄ２になければならないので、６０分の約数に設定される。
【００３０】
同様に、時針３は、１分ごとに０．５度ずつ回転するので、検出車２３５も１分ごとに０．５度ずつ回転する。従って、透過孔Ｔ３５の回転方向への幅が６度の場合には、透過孔Ｔ３５が１２分かけて徐々に位置Ｄ１と重なり、その後、更に１２分かけて透過孔Ｔ３５が位置Ｄ１から外れることになる。従って、中間車２３１、２３２の回転周期は、何れも、１２分以上でなければならず、即ち、１ステップあたりの回転角度は、３０度以下に設定されていることになる。また、同時に、中間車２３１、２３２のうち少なくとも何れかは、１ステップ辺りの回転角度が６度以上でなければならない。また、透過孔Ｔ３１、Ｔ３２は、何れも１２時間後に位置Ｄ１に重なっていなければならない。従って、中間車２３１、２３２の１ステップ当たりの回転角度は、０．５度の整数倍の値である。以上の条件を満たす構成として、ここでは、例えば、中間車２３１、２３２の１ステップあたりの回転角度は、それぞれ、３０度（１周１２分）、４度（１周９０分）に設定されている。
【００３１】
次に、本実施形態のアナログ電子時計１における日車２の動作検出処理について説明する。
【００３２】
図３は、本実施形態のアナログ電子時計１においてＣＰＵ４１が実行する指針動作検出処理の制御手順を示すフローチャートである。
【００３３】
この指針動作検出処理は、毎時所定の時間に一回自動的に呼び出されて実行される処理であり、この所定の時間としては、分針車２４３及び秒針車２５２が位置Ｄ２で重なるタイミングが設定される。即ち、本実施形態では、毎時５５分０秒に指針動作検出処理が呼び出されて実行される。
【００３４】
指針動作検出処理が開始されると、ＣＰＵ４１は、先ず、現在時刻が５：５５、１１：５５、１７：５５、２３：５５の何れかであるか否かを判別する（ステップＳ１１）。これらの何れかの時刻であると判別された場合には、ＣＰＵ４１は、次いで、第１検出部５２を動作させて透過孔を透過した発光部５２１からの出射光を光センサ５２２により検出させる（ステップＳ１２）。それから、ＣＰＵ４１は、第１検出部５２によりこの光が検出されたか否かを判別する（ステップＳ１３）。
【００３５】
第１検出部により光が検出されたと判別された場合（ステップＳ１３の判別処理で“ＹＥＳ”）には、ＣＰＵ４１は、次いで、現在時刻が１１：５５又は２３：５５であるか否かを判別する（ステップＳ１４）。何れの時刻でもない、即ち、５：５５又は１７：５５（第２タイミング）であると判別された場合には（ステップＳ１４で“ＮＯ”）、不正な時刻に光が検出されたことになるので、ＣＰＵ４１は、前回エラーフラグ４３ｂをセットし（ステップＳ１５）、それから、処理をステップＳ１６に移行させる。
【００３６】
１１：５５又は２３：５５の何れかであると判別された場合には（ステップＳ１４で“ＹＥＳ”）、続いて、ＣＰＵ４１は、前回エラーフラグ４３ｂがセットされているか否かを判別する（ステップＳ１７）。前回エラーフラグ４３ｂがセットされていると判別された場合には、ＣＰＵ４１は、動作停止フラグ４３ｃをセット（１加算）し（ステップＳ１８）、次いで、処理をステップＳ１６に移行させる。一方、前回エラーフラグ４３ｂがセットされていないと判別された場合には、ＣＰＵ４１は、更に、動作停止フラグ４３ｃがセットされている（１以上である）か否かを判別する（ステップＳ１９）。動作停止フラグ４３ｃがセットされていないと判別された場合には、ＣＰＵ４１の処理は、そのままステップＳ１６に移行する。動作停止フラグ４３ｃがセットされていると判別された場合には、ＣＰＵ４１の処理は、ステップＳ２１に移行する。
【００３７】
第１検出部５２により光が検出されなかったと判別された場合（ステップＳ１３の判別処理で“ＮＯ”）には、次いで、ＣＰＵ４１は、現在時刻が１１：５５又は２３：５５であるか否かを判別する（ステップＳ２０）。何れかの時刻であると判別された場合には（ステップＳ２０で“ＹＥＳ”）、ＣＰＵ４１は、後述する時針補正処理を実行し（ステップＳ２１）、それから、処理をステップＳ１６に移行させる。一方、何れの時刻でもないと判別された場合には（ステップＳ２０で“ＮＯ”）、ＣＰＵ４１は、前回エラーフラグ４３ｂをクリアして（ステップＳ２２）、それから、処理をステップＳ１６に移行させる。
【００３８】
ステップＳ１１の判別処理において、いずれの時刻でもない、即ち、５時、１１時、１７時、２３時台以外の５５分であると判別された場合には、ＣＰＵ４１は、補正失敗フラグ４３ａがセットされている（１以上）か否かを判別する（ステップＳ２３）。補正失敗フラグ４３ａがセットされていると判別された場合には、ＣＰＵ４１は、時針補正処理を行い（ステップＳ２４）、それから、時針位置の補正に成功したか否かを判別する（ステップＳ２５）。時針の補正に成功したと判別された場合には（ステップＳ２５で“ＹＥＳ”）、ＣＰＵ４１は、補正失敗フラグ４３ａをクリアしてから（ステップＳ２６）、処理をステップＳ１６に移行させ、時針の補正に成功しなかったと判別された場合には（ステップＳ２５で“ＮＯ”）、ＣＰＵ４１は、そのまま処理をステップＳ１６に移行させる。ステップＳ２３の判別処理において、補正失敗フラグ４３ａが設定されていないと判別された場合には、ＣＰＵ４１は、そのまま処理をステップＳ１６に移行させる。
【００３９】
ステップＳ１６の処理に移行すると、ＣＰＵ４１は、分秒針検出処理を実行した後に、指針位置検出処理を終了する。
【００４０】
図４は、指針位置検出処理のステップＳ１６で呼び出された分秒針検出処理のＣＰＵ４１による制御手順を示すフローチャートである。
【００４１】
分秒針検出処理が呼び出されると、ＣＰＵ４１は、先ず、第２検出部５４を動作させて、発光部５４１から出射された光を光センサ５４２により検出させる（ステップＳ３１）。次に、ＣＰＵ４１は、光センサ５４２がこの光を検出したか否かを判別する（ステップＳ３２）。光を検出したと判別された場合には（ステップＳ３２で“ＹＥＳ”）、ＣＰＵ４１は、分秒針が正常位置にあると判断してそのまま分秒針検出処理を終了し、指針位置検出処理に戻る。
【００４２】
光センサ５４２が光を検出しなかったと判別された場合には（ステップＳ３２で“ＮＯ”）、ＣＰＵ４１は、駆動回路３９に制御信号を出力して秒針５を１ステップ移動させた後（ステップＳ３３）、再度、第２検出部５４に発光及び検出動作を行わせ（ステップＳ３４）、光センサ５４２が光を検出したか否かを判別する（ステップＳ３５）。光が検出されたと判別された場合には（ステップＳ３５で“ＹＥＳ”）、ＣＰＵ４１は、移動後の現在位置を現在の分針４及び秒針５の位置として設定し（ステップＳ３６）、それから、分秒針検出処理を抜けて指針位置検出処理へ戻る。
【００４３】
ステップＳ３５の判別処理において光が検出されなかったと判別された場合には（ステップＳ３５で“ＮＯ”）、ＣＰＵ４１は、駆動回路３９に３６００回制御信号を出力して３６００秒分、即ち、分針４の一回転分、分針４及び秒針５の動作を試みたか否かを判別する（ステップＳ３７）。３６００回制御信号が出力されていないと判別された場合には（ステップＳ３７で“ＮＯ”）、ＣＰＵ４１の処理は、ステップＳ３３に戻り、ステップＳ３３〜Ｓ３５の処理が繰り返される。
【００４４】
３６００回制御信号が出力されたと判別された場合には（ステップＳ３７で“ＹＥＳ”）、指針位置検出処理において時針車２３４の位置が毎時５５分の位置の何れかからずれたまま停止しているか、又は、第２ステッピングモータ３４のロータ３４ａが制御信号通りに回転動作していないと考えられるので、ＣＰＵ４１は、そのまま分秒針検出処理をエラー終了して指針位置検出処理に戻る。この場合には、補正失敗フラグ４３ａと同様に分針４及び秒針５の補正に失敗した旨を示すフラグやパラメータを設定しておくことができる。
【００４５】
図５は、指針位置検出処理で呼び出される時針補正処理の制御手順を示すフローチャートである。
【００４６】
指針位置検出処理において、ＣＰＵ４１の処理がステップＳ２１又はステップＳ２４に進み、時針補正処理が呼び出されると、ＣＰＵ４１は、前回エラーフラグ４３ｂが設定されているか否かを判別する（ステップＳ２０１）。設定されていると判別された場合、１２時間前の指針位置検出動作が行われてから６時間前に指針位置検出動作が行われるまでの６時間の間、少なくとも時針３が動いていなかったことになるので、駆動回路３９に制御信号を送って時針３を６時間分（ここでは、３６０ステップ）前進させる（ステップＳ２０２）。その後、ＣＰＵ４１は、処理をステップＳ２０３に移行させる。一方、前回エラーフラグ４３ｂが設定されていないと判別された場合には、ＣＰＵ４１の処理は、そのままステップＳ２０３に移行する。
【００４７】
ステップＳ２０３の処理に移行すると、ＣＰＵ４１は、第１検出部５２を動作させ、発光部５２１が出射した光を光センサ５２２により検出させる動作を行わせる。そして、ＣＰＵ４１は、光センサ５２２により光が検出されたか否か、即ち、透過孔Ｔ３１、Ｔ３２、Ｔ３５が全て位置Ｄ１に重なっているか否かを判別する（ステップＳ２０４）。光が検出されなかったと判別された場合には（ステップＳ２０４で“ＮＯ”）、次に、ＣＰＵ４１は、既に第１ステッピングモータ３２を駆動させる制御信号を７２０回出力して時針３を１２時間分（７２０ステップ、１回転）移動させる処理を行ったか否かを判別する（ステップＳ２０５）。まだ時針３を１２時間分移動させるための制御信号を出力していないと判別された場合には（ステップＳ２０５で“ＮＯ”）、ＣＰＵ４１は、時針３を１ステップ進めるための制御信号を駆動回路３９に出力し（ステップＳ２０６）、それから、ＣＰＵ４１の処理をステップＳ２０３に戻す。
【００４８】
ステップＳ２０５の判別処理で、既に第１ステッピングモータ３２を駆動させる制御信号を７２０回出力して時針３を１２時間分（７２０ステップ）移動させる処理を行ったと判別された場合には（ステップＳ２０５で“ＹＥＳ”）、ＣＰＵ４１は、補正失敗フラグ４３ａをセットし（１加算し）（ステップＳ２０７）、時針補正処理を終了して指針位置検出処理に戻る。このようなケースには、外部磁場などにより制御信号を送っても第１ステッピングモータ３２のロータ３２ａが正常に回転しない状態にある場合が該当する。
【００４９】
一方、ステップＳ２０４の判別処理で、透過孔が検出されたと判別された場合には（ステップＳ２０４で“ＹＥＳ”）、ＣＰＵ４１は、時針位置設定処理を呼び出して実行し（ステップＳ２０８）、それから、前回エラーフラグのリセット動作（ステップＳ２０９）、及び、動作停止フラグのリセット動作（ステップＳ２１０）を行う。そして、ＣＰＵ４１は、時針補正処理を終了して指針位置検出処理に戻る。
【００５０】
図６は、時針補正処理で呼び出される時針位置設定処理のＣＰＵ４１による制御手順を示すフローチャートである。
【００５１】
時針位置設定処理が呼び出されると、ＣＰＵ４１は、動作停止フラグ４３ｃがセットされているか否かを判別する（ステップＳ３０１）。動作停止フラグ４３ｃがセットされていないと判別された場合（ステップＳ３０１で“ＮＯ”）、時針３が停止していた時間は１２時間未満であると判断できるので、ＣＰＵ４１は、検出された時刻（即ち、１１時５５分又は２３時５５分）に対応する位置にＲＡＭ４３上の時針位置データを設定更新する（ステップＳ３０３）。そして、時針位置設定処理を終了して時針補正処理に戻る。
【００５２】
一方、動作停止フラグ４３ｃがセットされていると判別された場合には（ステップＳ３０１で“ＹＥＳ”）、１２時間以上時針３が停止していたと判断できる。また、動作停止フラグ４３ｃを多値データとすると、動作停止フラグ４３ｃは、１２時間ごとに１ずつ加算されていく。即ち、現在の時針３の位置及び日車２の位置は、動作停止フラグ４３ｃの値に１２を乗じた時間だけ遅れていることになる。従って、ＣＰＵ４１は、当該時間だけ時針３を進めるように、第１ステッピングモータ３２を駆動する制御信号を駆動回路３９に出力する（ステップＳ３０２）。この動作によって、時針３は、動作停止フラグ４３ｃの値と同じ回数回転して同じ位置に戻ってくるが、午前／午後の設定及び日付のずれ、即ち、日車２の位置が修正される。時針３の位置データの更新が終了すると、ＣＰＵ４１は、時針位置設定処理を終了して時針補正処理に戻る。
【００５３】
ここで、この時針位置設定処理では、補正失敗フラグ４３ａの値が「１２」以上となった場合にも、時針３の位置に１２時間の遅延が発生したと考えることができる。従って、ＣＰＵ４１は、この補正失敗フラグ４３ａを１２で除した商の回数に１２時間を乗じた時間だけ、時針３を正転させることで日付の調整を行うことができる。
【００５４】
指針位置検出処理において、時針３、または、分針４及び秒針５が正しい位置にないと判別されて、正しい位置の検出を行った場合、これらの検出動作は、１秒以内に終了しない場合がある。従って、ＣＰＵ４１は、検出動作の開始時に現在時刻の変化に伴う定時運針動作に係る制御処理を中断する必要がある。一方、この検出動作が終了した際には、検出時刻と現在時刻との間にタイムラグが生じている。従って、ＣＰＵ４１は、指針位置検出処理の最後に正しい表示時刻に調整する処理が必要になる。
なお、上記ステップＳ３０２の処理で行われた１２時間単位でのずれの補正処理なども、この最後の時刻調整処理の際にまとめて行わせることができる。
【００５５】
このように、本実施形態のアナログ電子時計１は、時針３と、日車２と、時針３の回転に対して連動して日車２を回転させるよう構成された輪列機構２２、２３と、駆動回路３９に制御信号を出力することで第１ステッピングモータ３２を駆動させて輪列機構２２、２３を適切なタイミングで回転制御するＣＰＵ４１と、時針３の回転位置を検出する第１検出部５２と、を備える。そして、１２時間に一回、輪列機構２３に設けられた透過孔Ｔ３１、Ｔ３２、Ｔ３５が位置Ｄ１で重なる時刻である午前／午後１１時５５分、及び、重ならない時刻である午前／午後５時５５分において第１検出部５２を動作させて、時針３が正常に回転されているか否かを判別し、何れの場合にも透過孔Ｔ３１、Ｔ３２、Ｔ３５が検出された場合には、これらの透過孔Ｔ３１、Ｔ３２、Ｔ３５が位置Ｄ１で重なったまま１２時間（時針３の一周期）時針３の動作が停止していると判断して動作停止フラグ４３ｃに１を加算する。その後、透過孔Ｔ３１、Ｔ３２、Ｔ３５が検出されなくなり、時針３の回転動作が再開されたと判断された場合には、動作停止フラグ４３ｃとして記憶された周期数の分だけ時針３を回転させる。このような動作によって、時針３が所定の時間に正常位置にあることを検出する従来の構成では知得することのできなかった午前／午後１１時５５分位置での長期間の時針３の停止状態を知得することが出来る。そして、時針３の周回遅れに伴う日車２の表示位置ずれを、日車２の位置検出を直接行うことなく修正することができる。
【００５６】
また、このような検出処理を検出周期に対して検出タイミングと非検出タイミングの２回行わせることで、効率よく時針３が午前／午後１１時５５分の位置で停止している状態を知得することが出来る。
【００５７】
また、時針３の回転に対し、周期的に所定の期間のみ連動して回転する日車２のように、一回転させるのに多大なステップ数を要する回転板の位置を直接検出せずとも、短時間で位置を知得することが出来る。
【００５８】
また、特に、このような構成及び処理を、時針３と日車２とが連動して動作させるアナログ電子時計に適用することで、指針位置を誤ってＲＡＭ４３に設定記憶させてしまうことを防ぐことができる。
【００５９】
また、このように日車２と時針３の組み合わせの場合に、１２時間に一周する時針車２３４（筒車）と同じ周期で時針３が検出可能となる検出車２３５を組み合わせ、１２時間に一回所定の時刻に指針位置を検出可能とすることで、容易に日付ずれに対応して午前午後の情報を含めた時刻位置を知得することが出来る。
【００６０】
また、日付表示として日車２のような回転動作に必要なトルクの大きい構成を用い、小窓から露出させて表示させるような場合であっても、本発明を適用することで容易に日付情報を正確に保つことができる。
【００６１】
また、第１検出部５２は、発光部５２１と光センサ５２２とを備え、透過孔Ｔ３１、Ｔ３２、Ｔ３５が位置Ｄ１で重なったか否かを発光部５２１から出射された光がこれらの透過孔Ｔ３１、Ｔ３２、Ｔ３５を貫通して反対側の光センサ５２２で検出する構成とすることで、可動部を増やさずに容易に検出動作を行うことができる。
【００６２】
また、通常の午前／午後１１時５５分及び午前／午後５時５５分の検出処理で透過孔Ｔ３１、Ｔ３２、Ｔ３５が検出できなくなったことで時針３の動作が再開されたか否かを判別するので、長期間の停止に対して過剰な検出動作による電力消費を必要としない。
【００６３】
また、午前／午後１１時５５分に透過孔Ｔ３１、Ｔ３２、Ｔ３５に透過孔が検出されなかった場合には、時針３の位置がずれていると判断して指針位置の修正動作を行うので、通常発生する指針の位置ずれに対しては、別途対応可能である。
【００６４】
また、時針３の位置ずれを修正させようとした際、時針３を１周（１２時間）回転させる制御信号を出力したにも拘わらず時針３が第１検出部５２により検出されなかった場合には、位置Ｄ１で停止している場合と同様、時針３が外部磁場などにより動作できない状況にあると判断して計時回路４６の計時する日時と日車２の表示日時とのずれを認識し、時針３の動作再開後速やかに時針３及び日車２の位置を修正することができる。
【００６５】
また、時針３の位置ずれについては、１２時間より短い時間間隔で修正を試みることで、時針３の動作再開後に長期間不正確な時刻表示を続けず、ユーザの使用に対応できるようにすることができる。
【００６６】
また、時針３が午前／午後１１時５５分の位置で１日以上停止した場合の日付ずれに係る処理と、午前／午後１１時５５分以外の位置で１日以上停止した場合の日付ずれに係る処理を統一することで、時針３の動作再開後の処理を複雑化せずに計時回路４６の計数する時刻と時針３及び日車２のメモリ位置との整合性を正確に保ったまま適切に日付ずれを修正することができる。
【００６７】
また、操作部５０を備え、ユーザがこの操作部５０を用いて所定の操作を行うことで、手動でも時針３及び日車２を所定のステップ数ずつ回転させることができるので、ＲＡＭ４３に記憶された日付データがリセットされてしまったときなどには、ユーザが容易に設定を行うことも出来る。また、このとき、時針３の一回転分ずつまとめて早送り可能に構成することで、手動での日付合わせ動作に係る労力を低減することができる。
【００６８】
なお、本発明は、上記実施の形態に限られるものではなく、様々な変更が可能である。
例えば、上記実施の形態では、第１検出部５２により午前／午後１１時５５分に透過孔の検出確認と時刻修正動作が行われ、また、午前／午後５時５５分に非検出の確認が行われたが、この時刻に限られない。一般的に、時刻修正動作は、ユーザに見られる可能性の少ない時間帯に行われるのが望ましい。また、本実施形態のアナログ電子時計１では、通常の日付変更動作と同時に行わないようにその動作終了直後、例えば、午前１時０５分に時刻修正動作を行う構成としても良い。
【００６９】
また、上記実施の形態では、第１検出部５２による検出確認と非検出の確認が６時間間隔で交互に行われることとしたが、この時間設定に限られない。交互に行われさえすれば、２回の検出確認の間において非検出状態が継続されているはずの適宜なタイミングで非検出の確認を行うことができる。
【００７０】
また、上記実施の形態では、正常状態においては１２時間周期で同一の検出パターンが得られるのみであったが、歯車における透過孔の配置を変更することで、例えば、基準タイミングとその４時間後に透過孔を検出し、基準タイミングの２時間後と８時間後に透過孔が非検出であることを検出するように配置することとしても良い。このように複数の透過孔が設けられている場合であっても時針３の位置を一意に特定しながら動作状態の検出を行うことが出来る。
【００７１】
また、上記実施形態では、１２時間で一周する時針３と、時針３が２周する間に２時間３０分に亘って連動して回転する日車２とによる表示を例に挙げて示したが、その他の場合、例えば、２４時間針の一周と部分的に連動する日車２のような場合や、時針３の一周に対して毎周部分的に連動する午前午後表示のような場合、或いは、単純に所定の比率で２本の指針が連動して回転する場合にも本発明を同様に適用することができる。
【００７２】
また、上記実施の形態では、発光部５２１からの出射光が透過孔を貫通して光センサ５２２で受けることで指針位置を同定する構成を示したが、この構成に限られない。例えば、導通部を設けて所定のタイミングで電気が流れることで指針位置を検出可能としても良い。
【００７３】
また、上記実施形態では、指針と回転板（日車２）との組み合わせについて説明したが、これに限られない。例えば、回転板のような剛体ではなく、ベルト状の日付表示部を回転させる構成であっても良いし、或いは、日付の表示も指針で行わせることとしても良い。
また、反対に、時刻の表示を指針以外の回転板等で行わせるものであっても良い。
【００７４】
その他、別個のモータで駆動される機能針の有無、分針４及び秒針５の動作機構や指針位置の確認方法、各輪列機構の構成や配置、時針３の検出動作に係る制御手順といった具体的な細部は、本発明の趣旨を逸脱しない範囲において適宜変更可能である。
【００７５】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００７６】
［付記］
＜請求項１＞
回転動作に応じた各々の表示態様が組み合わされて現在の日時を示す複数の回転表示体と、
第１の前記回転表示体が一回転する毎に、当該第１の回転表示体の回転に連動させて第２の前記回転表示体を所定の角度回転させる複数の歯車が配列された輪列機構と、
前記輪列機構の回転動作を駆動制御する駆動制御手段と、
前記第１の回転表示体が所定の基準表示態様にあるか否かを検出する検出手段と、
前記第１の回転表示体の表示態様の周回遅れ量を示す遅延周期数を計数する遅延周期計数手段と
を備え、
前記遅延周期計数手段は、前記所定の基準表示態様の検出周期毎に、当該所定の基準表示態様にあることが検出される予定の第１タイミング、及び、当該第１タイミングと異なる第２タイミングにおける前記検出手段による検出結果に基づいて前記第１の回転表示体の回転周期に亘り、当該第１の回転表示体が停止状態にあったと判別された場合には、前記遅延周期数に１を加算し、
前記駆動制御手段は、前記第１タイミングに前記第１の回転表示体が動作可能である場合には、前記遅延周期数の回数だけ前記第１の回転表示体を回転移動させる
ことを特徴とするアナログ電子時計。
＜請求項２＞
前記検出周期と前記第１の回転表示体の回転周期とは、互いに等しい長さに設定され、
前記遅延周期計数手段は、前記第１タイミング、前記第２タイミング、及び、次の前記検出周期の前記第１タイミングにおいて続けて前記基準表示態様が検出された場合に、前記遅延周期数に１を加算する
ことを特徴とする請求項１記載のアナログ電子時計。
＜請求項３＞
前記輪列機構は、前記第１の回転表示体の回転に対し、所定の周期で前記第２の回転表示体を所定の期間にのみ連動して回転させるように前記複数の歯車が配列されていることを特徴とする請求項１又は２記載のアナログ電子時計。
＜請求項４＞
前記第２の回転表示体は、一の面に日付を示す標識が日付順に設けられた形状を有し、前記所定の期間における前記第２の回転表示体の回転により、表示される日付が一日変化する
ことを特徴とする請求項３記載のアナログ電子時計。
＜請求項５＞
前記第１の回転表示体は時針であり、
前記輪列機構は、前記第１の回転表示体が２回転するごとに前記第２の回転表示体を前記所定の期間回転させる構成である
ことを特徴とする請求項４記載のアナログ電子時計。
＜請求項６＞
前記第２の回転表示体の上部には、前記第１の回転表示体が指し示す方向との相対角度により時刻を示すための標識が設けられた文字盤を備え、
当該文字盤上には、窓部が設けられ、前記第２の回転表示体の一面に設けられた前記標識のうちの一つが前記第２の回転表示体の回転に応じて選択的に露出可能となっている
ことを特徴とする請求項５記載のアナログ電子時計。
＜請求項７＞
前記検出手段は、前記複数の歯車のうち、所定の歯車に設けられた被検出部を前記基準表示態様に対応する位置で検出する構成であることを特徴とする請求項１〜６の何れか一項に記載のアナログ電子時計。
＜請求項８＞
前記駆動制御手段は、前記第２タイミングにおいて前記検出手段により前記基準表示態様が検出された後、前記第１タイミング又は前記第２タイミングにおいて前記基準表示態様が検出されなかった場合に、前記第１の回転表示体が動作停止状態から動作可能な状態に戻ったと判断することを特徴とする請求項１〜７の何れか一項に記載のアナログ電子時計。
＜請求項９＞
前記第１タイミングにおいて前記基準表示態様が検出されない場合には、前記駆動制御手段に前記第１の回転表示体を１ステップ回転移動させるごとに前記検出手段に検出動作を行わせていくことで前記基準表示態様を検出して当該第１の回転表示体の回転位置を同定し、前記第１の回転表示体の回転位置を修正する位置修正手段を備える
ことを特徴とする請求項１〜８の何れか一項に記載のアナログ電子時計。
＜請求項１０＞
前記位置修正手段は、前記第１タイミングにおいて前記第１の回転表示体を一周期分移動させたにもかかわらず前記基準表示態様を検出出来ない場合には、前記第１の回転表示体が動作停止状態であると判断することを特徴とする請求項９記載のアナログ電子時計。
＜請求項１１＞
前記位置修正手段は、前記第１タイミングにおいて前記第１の回転表示体が動作停止状態であると判断した場合には、当該第１の回転表示体の回転位置が同定されるまでの間、前記第１タイミングから前記第２タイミングまでの間隔よりも短い間隔で動作することを特徴とする請求項１０記載のアナログ電子時計。
＜請求項１２＞
前記検出周期と前記第１の回転表示体の回転周期とは、互いに等しい長さに設定され、
前記遅延周期計数手段は、前記検出周期に亘り、続けて前記基準表示態様が検出されない場合には、前記遅延周期数に１を加算する
ことを特徴とする請求項１１記載のアナログ電子時計。
＜請求項１３＞
外部操作を受け付けて入力信号に変換する操作手段を備え、
前記駆動制御手段は、当該入力信号に基づいて前記第１の回転表示体及び前記第２の回転表示体を所定のステップ数ずつ回転させる
ことを特徴とする請求項１〜１２の何れか一項に記載のアナログ電子時計。
【符号の説明】
【００７７】
１     アナログ電子時計
２     日車
３     時針
４     分針
５     秒針
２２   輪列機構
２２４ 中間車
２２５ 中間車
２２６ 日回し中間車
２２７ 日回し車
２３   輪列機構
２３１ 中間車
２３２ 中間車
２３３ 中間車
２３４ 時針車（筒車）
２３５ 検出車
２４   輪列機構
２４２ 三番車
２４３ 分針車
２５   輪列機構
２５１ 五番車
２５２ 秒針車
３２   ステッピングモータ
３２ａ ロータ
３４   ステッピングモータ
３４ａ ロータ
３９   駆動回路
４１   ＣＰＵ
４２   ＲＯＭ
４３   ＲＡＭ
４３ａ 補正失敗フラグ
４３ｂ 前回エラーフラグ
４３ｃ 動作停止フラグ
４４   発振回路
４５   分周回路
４６   計時回路
４７   電源部
４８   アンテナ
４９   検波回路
５０   操作部
５２   第１検出部
５２１ 発光部
５２２ 光センサ
５４   第２検出部
５４１ 発光部
５４２ 光センサ
Ｔ３１ 透過孔
Ｔ３２ 透過孔
Ｔ３４ 透過孔
Ｔ３５ 透過孔
Ｔ４２ 透過孔
Ｔ４３ 透過孔
Ｔ５２ 透過孔
【図１】
0005447613.tif 000002
【図２】
0005447613.tif 000003
【図３】
0005447613.tif 000004
【図４】
0005447613.tif 000005
【図５】
0005447613.tif 000006
【図６】
0005447613.tif 000007